【手続補正書】
【提出日】平成19年8月16日(2007.8.16)
【手続補正１】
【補正対象書類名】特許請求の範囲
【補正対象項目名】全文
【補正方法】変更
【補正の内容】
【特許請求の範囲】
【請求項１】
水を分離して可燃性ガスを生成する電解槽であって、
密閉された電解室と、
水を含み、前記電解室の下部に満たされて前記電解室の上部にガス貯蔵領域を形成させる水性電解液と、
この水性電解液を前記電解室に加える加液手段と、
前記水性電解液に少なくとも一部が浸漬された２つの主要電極と、
前記水性電解液に少なくとも一部が浸漬され、前記２つの主要電極間に配置されて一定の間隔で保持された複数の補助電極と、
前記電解室から熱を除去するフィンとを具備し、
前記複数の補助電極は、ニッケルにて構成された発泡材で形成された平板状の第１の補助電極と、ステンレス鋼にて形成された平板状の第２の補助電極とを有し、これら第１の補助電極および第２の補助電極は、前記２つの主要電極間に交互に配置され、
前記可燃性ガスは、前記電極槽内の水性電解液を分離して生成され、水素原子（Ｈ）と酸素原子（Ｏ）とが再結合せず、一般式ＨｍＯｎの構造の水素原子と酸素原子とが磁気的に結合されたクラスタ化合物であって、前記ｍおよびｎは、同時に０であることを除いた０または正の整数値である
ことを特徴とした電解槽。
【請求項２】
可燃性ガスは、原子状水素を含む
ことを特徴とした請求項１記載の電解槽。
【請求項３】
可燃性ガスは、原子状酸素を含む
ことを特徴とした請求項１または２に記載の電解槽。
【請求項４】
可燃性ガスは、固体を溶解する性質を有する
ことを特徴とした請求項１ないし３いずれか記載の電解槽。
【請求項５】
可燃性ガスは、大気中の酸素を必要とすることなく燃焼する
ことを特徴とした請求項１ないし４いずれか記載の電解槽。
【請求項６】
可燃性ガスは、磁気誘導にて可燃性燃料に結合する
ことを特徴とした請求項１ないし５いずれか記載の電解槽。
【請求項７】
可燃性ガスは、可燃性燃料へ添加して使用することにより、前記可燃性燃料を単独で燃焼させた場合に生じる汚染物質よりも汚染物質の発生が少ない
ことを特徴とした請求項１ないし６いずれか記載の電解槽。
【請求項８】
主要電極および補助電極は、３．８１ｍｍ（０．１５インチ）以上８．８９ｍｍ（０．３５インチ）の一定の間隔を介して配置されている
ことを特徴とした請求項１ないし７いずれか記載の電解槽。
【請求項９】
対向する磁極を有する化石燃料と可燃性ガスとの結合体であって、
前記可燃性ガスは、環状分極を有し、この環状分極の回転軸に沿った軌道を有する水素原子および酸素原子のクラスタ化合物であり、
前記化石燃料と可燃性ガスとの結合は、前記化石燃料の対向する磁極間での原子軌道と引力とによって引き起こされた磁気分極にて生じ、
前記化石燃料および可燃性ガスは、結合した状態で、使用に応じて変化するエネルギ含量を有する
ことを特徴とした結合体。
【請求項１０】
化石燃料とクラスタ化合物との個々のエネルギ効率の合計よりも大きなエネルギ効率を有する
ことを特徴とした請求項９記載の結合体。
【請求項１１】
化石燃料のみを単独で燃焼させた場合に生じる汚染物質よりも、燃焼させた場合に生じる汚染物質の発生が少ない
ことを特徴とした請求項９または１０記載の結合体。
【請求項１２】
一般式ＨｍＯｎの構造の水素原子および酸素原子のクラスタ化合物であって、
前記ｍおよびｎは、同時に０であることを除いた０または正の整数値である
ことを特徴とした可燃性ガス。
【請求項１３】
原子状水素を含む
ことを特徴とした請求項１２記載の可燃性ガス。
【請求項１４】
原子状酸素を含む
ことを特徴とした請求項１２または１３記載の可燃性ガス。
【請求項１５】
固体を溶解する性質を有する
ことを特徴とした請求項１２ないし１４いずれか記載の可燃性ガス。
【請求項１６】
大気中の酸素を必要とすることなく燃焼する
ことを特徴とした請求項１２ないし１５いずれか記載の可燃性ガス。
【請求項１７】
磁気誘導にて可燃性燃料に結合する
ことを特徴とした請求項１２ないし１６いずれか記載の可燃性ガス。
【請求項１８】
クラスタ化合物は、マグネキュールである
ことを特徴とした請求項１２ないし１７いずれか記載の可燃性ガス。
【請求項１９】
可燃性燃料へ添加して使用することにより、前記可燃性燃料のみを単独で燃焼させた場合に生じる汚染物質よりも汚染物質の発生が少ない
ことを特徴とした請求項１２ないし１８いずれか記載の可燃性ガス。
【請求項２０】
使用に応じて変化するエネルギ含量を有する
ことを特徴とした請求項１２ないし１９いずれか記載の可燃性ガス。
【請求項２１】
内燃機関の燃料効率、溶接システムの切断効率および溶接効率の少なくともいずれかを向上する可燃性ガスの生成方法であって、
密閉された電解室と、水を含み、前記電解室の下部に満たされて前記電解室の上部にガス貯蔵領域を形成させる水性電解液と、前記水性電解液に少なくとも一部が浸漬された２つの主要電極と、前記水性電解液に少なくとも一部が浸漬され前記２つの主要電極間に配置されて一定の間隔で保持された少なくとも１つ以上の補助電極とを備えた電解槽を用意するステップと、
前記電解槽の２つの主要電極間に電圧を印加して、一般式ＨｍＯｎの構造の水素原子と酸素原子とのクラスタ化合物であって、前記ｍおよびｎが同時に０であることを除いた０または正の整数値であり、使用に応じて変化するエネルギ含量を有する可燃性ガスを、前記電解槽内に生成させるステップと、
前記電極槽から前記可燃性ガスを送り出すステップと
を具備したことを特徴とした可燃性ガスの生成方法。
【請求項２２】
補助電極は、主要電極から離間されている
ことを特徴とした請求項２１記載の可燃性ガスの生成方法。
【請求項２３】
主要電極は、陽極電極および陰極電極を有し、
補助電極は、第１の補助電極および第２の補助電極を有し、前記第１の補助電極が前記陽極電極に接続され、前記第２の補助電極が前記陰極電極に接続されている
ことを特徴とした請求項２１または２２記載の可燃性ガスの生成方法。
【請求項２４】
主要電極および補助電極は、略平行に設置され、３．８１ｍｍ（０．１５インチ）以上８．８９ｍｍ（０．３５インチ）以下の一定の間隔を介して配置されている
ことを特徴とした請求項２１ないし２３いずれか記載の可燃性ガスの生成方法。
【請求項２５】
電解槽は、主要電極および補助電極を一定の間隔で保持するラックを具備している
ことを特徴とした請求項２１ないし２４いずれか記載の可燃性ガスの生成方法。
【請求項２６】
主要電極および補助電極は、ラックに着脱可能に取り付けられている
ことを特徴とした請求項２５記載の可燃性ガスの生成方法。
【請求項２７】
電解槽は、主要電極および補助電極をラックに固定する固定具を具備し、
この固定具は、電解室に着脱可能に取り付けられている
ことを特徴とした請求項２５または２６記載の可燃性ガスの生成方法。
【請求項２８】
補助電極は、１以上５０以下設けられている
ことを特徴とした請求項２１ないし２７いずれか記載の可燃性ガスの生成方法。
【請求項２９】
補助電極は、金属ワイヤメッシュ、金属板、少なくとも１つ以上の孔を有する金属板のいずれかにて形成されている
ことを特徴とした請求項２１ないし２８いずれか記載の可燃性ガスの生成方法。
【請求項３０】
補助電極は、少なくとも１つ以上の孔を有する金属板にて形成されている
ことを特徴とした請求項２１ないし２８いずれか記載の可燃性ガスの生成方法。
【請求項３１】
補助電極は、金属ワイヤメッシュにて形成されている
ことを特徴とした請求項２１ないし２８いずれか記載の可燃性ガスの生成方法。
【請求項３２】
主要電極は、金属ワイヤメッシュ、金属板、少なくとも１つ以上の孔を有する金属板のいずれかにて形成されている
ことを特徴とした請求項２１ないし３１いずれか記載の可燃性ガスの生成方法。
【請求項３３】
主要電極は、金属板にて形成されている
ことを特徴とした請求項２１ないし３１いずれか記載の可燃性ガスの生成方法。
【請求項３４】
電極槽から可燃性ガスを送り出しながら酸素を加えるステップと、
この可燃性ガスに加えた酸素の量を感知する酸素センサの動作を調節するステップと
を具備することを特徴とした請求項２１ないし３３いずれか記載の可燃性ガスの生成方法。
【請求項３５】
酸素センサは、制御線およびチェック線を有し、
前記酸素センサの動作を調整するＲＣ回路を具備し、
このＲＣ回路は、
前記酸素センサのチェック線と直列に配置された抵抗と、
前記酸素センサの制御線と前記チェック線との間に配置されたコンデンサとを備え、
このコンデンサは、前記抵抗が前記酸素センサに電気的に接触する位置の反対側で前記チェック線に取り付けられている
ことを特徴とした請求項３４記載の可燃性ガスの生成方法。
【請求項３６】
可燃性ガスは、原子状水素を含む
ことを特徴とした請求項２１ないし３５いずれか記載の可燃性ガスの生成方法。
【請求項３７】
可燃性ガスは、原子状酸素を含む
ことを特徴とした請求項２１ないし３６いずれか記載の可燃性ガスの生成方法。
【請求項３８】
可燃性ガスは、固体を溶解する性質を有する
ことを特徴とした請求項２１ないし３７いずれか記載の可燃性ガスの生成方法。
【請求項３９】
可燃性ガスは、大気中の酸素を必要とすることなく燃焼する
ことを特徴とした請求項２１ないし３８いずれか記載の可燃性ガスの生成方法。
【請求項４０】
可燃性ガスは、磁気誘導にて可燃性燃料に結合する
ことを特徴とした請求項２１ないし３８いずれか記載の可燃性ガスの生成方法。
【請求項４１】
クラスタ化合物は、マグネキュールである
ことを特徴とした請求項２１ないし４０いずれか記載の可燃性ガスの生成方法。
【請求項４２】
可燃性ガスは、可燃性燃料へ添加して使用することにより、前記可燃性燃料のみを単独で燃焼させた場合に生じる汚染物質よりも汚染物質の発生が少ない
ことを特徴とした請求項２１ないし４１いずれか記載の可燃性ガスの生成方法。
【請求項４３】
燃焼装置で使用する可燃性ガスを水を分離して生成する自己生成可燃性ガス電解槽システムであって、
生成された可燃性ガスを貯蔵する上部、および水を含む水性電解液が満たされる下部を有する電解質容器と、
前記水性電解液に少なくとも一部が浸漬された２つの主要電極を有し、前記水性電解液が内部に貯溜される電解槽と、
前記水性電解液に少なくとも一部が浸漬され、前記２つの主要電極間に配置されて一定の間隔で保持された少なくとも１つ以上の補助電極と、
前記電解質容器と前記電解槽との間に配置され、前記電解質容器から前記水性電解液を取り出して前記電解槽に供給するポンプと、
前記電解質容器と前記電解槽との間に配置され、前記電極槽で生成された可燃性ガスを冷却するラジエータと、
生成された可燃性ガスが通過する少なくとも１つ以上の乾燥手段とを具備し、
前記補助電極は、ニッケルにて構成された発泡材で形成された平板状の第１の補助電極と、ステンレス鋼にて形成された第２の補助電極とを有し、これら第１の補助電極および第２の補助電極は、前記２つの主要電極間に交互に配置され、
前記可燃性ガスは、前記電極槽内の水性電解液を分離して生成され、水素原子（Ｈ）と酸素原子（Ｏ）とが再結合せず、一般式ＨｍＯｎの構造の水素原子と酸素原子とが磁気的に結合されたクラスタ化合物であって、前記ｍおよびｎは、同時に０であることを除いた０または正の整数値であり、使用に応じて変化するエネルギ含量を有する
ことを特徴とした自己生成可燃性ガス電解槽システム。
【請求項４４】
可燃性ガスは、原子状水素を含む
ことを特徴とした請求項４３記載の自己生成可燃性ガス電解槽システム。
【請求項４５】
可燃性ガスは、原子状酸素を含む
ことを特徴とした請求項４３または４４記載の自己生成可燃性ガス電解槽システム。
【請求項４６】
可燃性ガスは、固体を溶解する性質を有する
ことを特徴とした請求項４３ないし４５いずれか記載の自己生成可燃性ガス電解槽システム。
【請求項４７】
可燃性ガスは、大気中の酸素を必要とすることなく燃焼する
ことを特徴とした請求項４３ないし４６いずれか記載の自己生成可燃性ガス電解槽システム。
【請求項４８】
可燃性ガスは、磁気誘導によって可燃性燃料に結合する
ことを特徴とした請求項４３ないし４７いずれか記載の自己生成可燃性ガス電解槽システム。
【請求項４９】
可燃性ガスは、可燃性燃料へ添加して使用することにより、前記可燃性燃料を単独で燃焼させた場合に生じる汚染物質よりも汚染物質の発生が少ない
ことを特徴とした請求項４３ないし４８いずれか記載の自己生成可燃性ガス電解槽システム。
【手続補正２】
【補正対象書類名】明細書
【補正対象項目名】０００５
【補正方法】変更
【補正の内容】
【０００５】
請求項１記載の電解槽は、水を分離して可燃性ガスを生成する電解槽であって、密閉された電解室と、水を含み、前記電解室の下部に満たされて前記電解室の上部にガス貯蔵領域を形成させる水性電解液と、この水性電解液を前記電解室に加える加液手段と、前記水性電解液に少なくとも一部が浸漬された２つの主要電極と、前記水性電解液に少なくとも一部が浸漬され、前記２つの主要電極間に配置されて一定の間隔で保持された複数の補助電極と、前記電解室から熱を除去するフィンとを具備し、前記複数の補助電極は、ニッケルにて構成された発泡材で形成された平板状の第１の補助電極と、ステンレス鋼にて形成された平板状の第２の補助電極とを有し、これら第１の補助電極および第２の補助電極は、前記２つの主要電極間に交互に配置され、前記可燃性ガスは、前記電極槽内の水性電解液を分離して生成され、水素原子（Ｈ）と酸素原子（Ｏ）とが再結合せず、一般式ＨｍＯｎの構造の水素原子と酸素原子とが磁気的に結合されたクラスタ化合物であって、前記ｍおよびｎは、同時に０であることを除いた０または正の整数値であるものである。
【手続補正３】
【補正対象書類名】明細書
【補正対象項目名】００１３
【補正方法】変更
【補正の内容】
【００１３】
請求項９記載の結合体は、対向する磁極を有する化石燃料と可燃性ガスとの結合体であって、前記可燃性ガスは、環状分極を有し、この環状分極の回転軸に沿った軌道を有する水素原子および酸素原子のクラスタ化合物であり、前記化石燃料と可燃性ガスとの結合は、前記化石燃料の対向する磁極間での原子軌道と引力とによって引き起こされた磁気分極にて生じ、前記化石燃料および可燃性ガスは、結合した状態で、使用に応じて変化するエネルギ含量を有するものである。
【手続補正４】
【補正対象書類名】明細書
【補正対象項目名】００８８
【補正方法】変更
【補正の内容】
【００８８】
１つのＨ原子価結合が崩壊するとすぐに、２つのＨ原子がＨ×Ｈ−Ｏ種中で一方を崩壊させて、Ｏ原子の２個の原子価電子の軌道が相応して位置合わせされると考えられる。このことは、Ｈ×ＨおよびＯへのＨ×Ｈ−Ｏ種の分離のときに、酸素が平行な環状面に沿って、原子価軌道の別個の極性化を有することを意味している。さらに、酸素は、常磁性であって、磁界中では磁気誘導によって慣例で価電子の環状分極に良く反応する。
【手続補正５】
【補正対象書類名】明細書
【補正対象項目名】０１１６
【補正方法】変更
【補正の内容】
【０１１６】
また、図１９に示すように、電解槽２の動作中に、陽極電極14と陰極電極16との間に電圧が印加され、新規なガスが生成されてガス貯蔵領域12に回収される。このガス貯蔵領域12に貯蔵されるガス混合物は、出口31を通って、ガス貯蔵領域12を抜け出て、最終的に内燃機関の燃料システムに供給される。陽極電極14は、接触器32に電気的に接触しており、陰極電極16は、接触器33に電気的に接触している。接触器32，33は、金属にて構成され、陽極電極14および陰極電極16に位置するように、これら接触器32，33の経路34，35に溝が形成されている。接触器32は、カバー６に設けられた孔36に挿通されたロッド37に取り付けられている。同様に、接触器33は、カバー６に設けられた孔40に挿通されたロッド38に取り付けられている。好ましくは、これら孔36，40に、ねじ山が形成され、ロッド37，38は、これらロッド37，38が孔36，40にねじ止めされるねじ山ロッドである。陽極電極14および陰極電極16は、経路34，35およびラック20の溝18によって所定の位置に保持されていることから、接触器32，33もラック20を保持している。したがって、カバー６は、電解室４にボルトにて締められている場合に、ラック20は電解室４の下部に保持されている。電解槽２は、任意的に圧力安全弁42およびレベルセンサ44を有している。圧力安全弁42は、過度に圧力が増加する前に、ガス貯蔵領域12中のガス混合物を放出させる。レベルセンサ44は、電解液が少なくなり過ぎた場合に、警報を鳴らし、車両燃料システムへのガスの流れを確実に停止させる。電解液が少ない場合には、図示しない水注入口から追加の電解液が添加される。また、電解槽２は、電解室４の圧力がモニタされるように、圧力計48を備えていてもよい。さらに、電解槽２は、電解槽２から熱を取り除く１つまたは複数のフィン50を任意的に備えている。
【手続補正６】
【補正対象書類名】明細書
【補正対象項目名】０１２３
【補正方法】変更
【補正の内容】
【０１２３】
上述したように、蒸留水から生成されたＨＨＯガスと呼ばれる新規でクリーンな可燃性ガスは、既存の電解槽で生成された褐色ガスまたは他のガスと多くの似ている点があるにもかかわらず、明確に相違している。実際に、既存の電解槽で生成された褐色ガスまたは他のガスは、従来の水素ガスと従来の酸素ガスとの組み合わせ、すなわち２／３の水素と１／３の酸素との正確な化学量論理比率を有する従来の分子構造を有するガスである。
【手続補正７】
【補正対象書類名】明細書
【補正対象項目名】０１３３
【補正方法】変更
【補正の内容】
【０１３３】
ＨＨＯガスの第６の特徴は、天然ガス、ガス燃料および他の燃料などの気体燃料や、ディーゼル、ガソリン、鉱油および他の燃料などの液体燃料の排気環境基準と同様に、熱含有量を著しく向上させるために、これら気体燃料および液体燃料に結合できることである。
【手続補正８】
【補正対象書類名】明細書
【補正対象項目名】０１３６
【補正方法】変更
【補正の内容】
【０１３６】
すなわち、電解槽２を、内燃機関の燃料効率を向上するために利用できる。その方法としては、電解槽２の陽極電極14と陰極電極16との間に電位が供給されて、この電解槽２に可燃性ガスが生成される。次いで、燃料が内燃機関で消費される前に、可燃性ガスを内燃機関の燃料システム中の燃料に結合させる。
【手続補正９】
【補正対象書類名】明細書
【補正対象項目名】０１７３
【補正方法】変更
【補正の内容】
【０１７３】
通常、赤外線（ＩＲ）検出器が他のガスで作動しているのに対し、同じ機器の動作が、ＨＨＯガスの注入に続いて数秒停止される。この動作については、磁気誘導による管の内壁への特異的な付着を介したＨＨＯガスによる供給管の目詰まりによってのみ説明できるので、この発生は、ＨＨＯガスの磁気的な特徴の直接の実験確認であって、機器の必然的な停止とともに、供給管の断面積が小さいことからガスが機器に吹き込まれることが妨げられる点まで目詰まりが徐々に生じていった。
【手続補正１０】
【補正対象書類名】明細書
【補正対象項目名】０１７４
【補正方法】変更
【補正の内容】
【０１７４】
２００３年７月２２日に、フロリダ州のタンパのＰｄＭＡ社の研究室で、固定点／シングルビーム、パーキン・エルマ赤外線（ＩＲ）スキャナモデル１６００を使用して、図７ないし図９に示す赤外線走査をした。報告された走査は、１）図７に示す従来のＨ２ガス；２）図８に示す従来のＯ２ガス；３）図９に示すＨＨＯガスである。
【手続補正１１】
【補正対象書類名】明細書
【補正対象項目名】０１７５
【補正方法】変更
【補正の内容】
【０１７５】
これらの走査は、ＨＨＯガスとＨ２ガスおよびＯ２ガスとの間の実質的な差を示す。Ｈ２＝Ｈ−ＨおよびＯ２＝Ｏ−Ｏは、対称な分子である。したがって、添付の走査にて確認できるように、これらの赤外線ピークは非常に低い。ＨＨＯの第１の特異形は、大幅に強い共鳴ピークを示す。したがって、ＨＨＯの赤外線走査は、最初に、ＨＨＯガスが非対称構造を有することを示しており、同じ特徴がＨ２ガスおよびＯ２ガスの推定された混合物に関して欠けていることから、これはかなり大きな特徴である。
【手続補正１２】
【補正対象書類名】明細書
【補正対象項目名】０１７６
【補正方法】変更
【補正の内容】
【０１７６】
さらに、Ｈ２ガスおよびＯ２ガスは、赤外分光法において、多くても２つの共鳴頻度、ひとつは振動用、もうひとつは回転用の共鳴頻度を有している。軌道の球状の分布および他の特徴は、Ｈ２が図８に示す走査で確認できるように、Ｏ２が１つの振動赤外線周波数および３つの回転周波数を有する一方、図７に示す走査にて確認されるように、１つのみの支配的な赤外線値を有することである。
【手続補正１３】
【補正対象書類名】明細書
【補正対象項目名】０１７７
【補正方法】変更
【補正の内容】
【０１７７】
図９に示すＨＨＯガスの赤外線走査は、追加の新しさを明らかにする。第１に、ＨＨＯガスの走査は、約３０００の波長で集めた少なくとも９つの異なる赤外線周波数、および約１５００の波長での別個のものの存在を明らかにする。
【手続補正１４】
【補正対象書類名】明細書
【補正対象項目名】０１７８
【補正方法】変更
【補正の内容】
【０１７８】
これらの測定は、図６に示す赤外線走査で検出された１８ａｍｕの種が、水によって加えられないという非常に重要な実験確認を示すことによって、新規な種Ｈ×Ｈ−Ｏの可能性を示す直接の実験結果となる。
【手続補正１５】
【補正対象書類名】明細書
【補正対象項目名】０１７９
【補正方法】変更
【補正の内容】
【０１７９】
実際に、分子Ｈ−Ｏ−Ｈの水蒸気は、波長３７５６、３６５７、１５９５、又はこれらの組み合わせ、およびこれらの波長の赤外線周波数を有する。図７に示すＨＨＯガスの走査は、１５９５付近の赤外線値の存在を確認していることから、マグネキュラ構造Ｈ×Ｈ−Ｏにおいて分子結合Ｈ−Ｏを確認できるが、この走査は、３７５６および３６５７で、水分子の追加の非常に強い痕跡の存在を示さないことから、１８ａｍｕでのピークが化学的に従来理解される水でないことを確認できる。
【手続補正１６】
【補正対象書類名】明細書
【補正対象項目名】０２０１
【補正方法】変更
【補正の内容】
【０２０１】
II）図６に示す赤外線走査は、ＨＨＯガスのために予測される新しい種のすべてを明確に確認できた。これによって、基本的な直接の実験を確認できた。
【手続補正１７】
【補正対象書類名】明細書
【補正対象項目名】０２０２
【補正方法】変更
【補正の内容】
【０２０２】
III）赤外線検出器は、従来のガスに対して通常作動するのに対し、図６に示す走査中の同じ赤外線検出器は、ＨＨＯガス注入の１秒後または２秒後に停止することから、マグネキュラ構造を有するすべてのガスに関して通常検出されるように、ＨＨＯガス中の磁気分極の存在の直接的な実験確認となる。このことは、磁気誘導を介して結果として供給管の壁に付着するＨＨＯ種による供給管の目詰まりや、結果としてガスを機器に注入できなくなることによる、その後の機器自体の自動的な停止に起因する。
【手続補正１８】
【補正対象書類名】明細書
【補正対象項目名】０２０８
【補正方法】変更
【補正の内容】
【０２０８】
【図１】ａは、全空間方向への電子軌道の分布で球体を形成する従来の水素原子を表す図である。ｂは、電子が環状面の回転軸に沿って磁界を生成する環状面内で軌道が極性化した同様の水素原子を表す図である。
【図２】ａは、温度によって引き起こされた回転のいくつかを有する従来の水素分子を表す図である。ｂは、軌道が環状面に極性化されて、水素分子が反磁性であることから反対方向で２つの磁界が生じた場合の従来の分子を表す図である。
【図３】ａは、二量体Ｈ−ＯおよびＯ−Ｈが１０５゜の角度を形成し２つのＨ原子の軌道がＨ−Ｏ−Ｈ平面に垂直な環状面に極性化された従来の水分子Ｈ−Ｏ−Ｈを表す図である。ｂは、１つの原子価結合が崩壊され他方の１つの水素原子の崩壊をもたらす水分子にて構成された本発明の中心種を表す図である。
【図４】ａは、極性化された従来の水素分子を表す図である。ｂは、本発明の主な種であって、軌道の環状分極から始まる反対の磁極性間の引力によって生じた２つの水素原子間の結合を表す図である。
【図５】磁気的に原子に結合されて分離され磁性化された水素原子を加え、結果として起こる磁気結合を有する水分子で生じるように、極性化された形態で水分子の２つの二量体Ｈ−Ｏにて構成され本発明で初めて確認された新規な化学種を示す図である。
【図６】本発明のＨＨＯガスの質量分光走査を表す図である。
【図７】従来の水素ガスの赤外線走査を表す図である。
【図８】従来の酸素ガスの赤外線走査を表す図である。
【図９】本発明のＨＨＯガスの赤外線走査を表す図である。
【図１０】市販のディーゼル燃料の質量分析を表す図である。
【図１１】泡立ちを介して本発明のＨＨＯガスが内部に吸収された状態で、図１０と同じディーゼル燃料の質量分析を表す図である。
【図１２】本発明のＨＨＯガスの水素含有量の分析検出を表す図である。
【図１３】本発明のＨＨＯガスの酸素含有量の分析検出を表す図である。
【図１４】本発明のＨＨＯガスに含まれる不純物の分析検出を表す図である。
【図１５】ガス除去後の残留物質を示す検出器の変則的なブランクを表す図である。
【図１６】Ｈ−ＨおよびＨ×Ｈを表す２ａｍｕの基礎種のＨＨＯ中の存在、およびＨ−Ｈ×Ｈ−Ｈ×Ｈでのみ説明できる５ａｍｕのクリーンな種の存在を確認するための走査を表す図である。
【図１７】分離された原子状酸素のＨＨＯ中の存在を順番に確認し、Ｈ−Ｏ、Ｈ−Ｏ−ＨおよびＨ×Ｈ−Ｏにて構成された１７ａｍｕの種および１８ａｍｕの種のＨＨＯ中の存在を確認する質量１６ａｍｕの種の明らかな説明を確認するための走査を表す図である。
【図１８】Ｏ−Ｏ×ＨまたはＯ−Ｏ−Ｈを表す３３ａｍｕと、Ｏ−Ｈ×Ｏ−Ｈおよび同様の構成を表す３４ａｍｕの種とのＨＨＯ中の存在を確認するための走査を表す図である。
【図１９】電解槽を示す分解組立図である。
【図２０】補助電極の第１群が陽極電極に接続され、補助電極の第２群が陰極電極に接続された電解槽の変形例を示す平面図である。
【図２１】図２０に示す電解槽の電極プレートを固定する機構を示す斜視図である。
【図２２】車両に用いるときの電解槽の一体化を示す概略図である。
【図２３】車両に用いるときの電解槽の一体化を示す概略図である。
【図２４】溶接システムに用いるときの電解槽を示す概略図である。
【手続補正１９】
【補正対象書類名】明細書
【補正対象項目名】０２０９
【補正方法】変更
【補正の内容】
【０２０９】
２    電解槽
４    電解室
12    ガス貯蔵領域
14    主要電極としての陽極電極
16    主要電極としての陰極電極
20    ラック
24，26，28，30    補助電極
50    フィン
52，54，56，58    補助電極としての第１の補助電極
62，64，66，68    補助電極としての第２の補助電極
72    固定具としてのホルダロッド
110   電線としてのチェック線であるチェックエンジン光電線
112   電線としての制御線
114   酸素センサ
116   ＲＣ回路
118   抵抗
120   コンデンサ
314   ラジエータ
316   加液手段としてのポンプ
318   電解質容器
319   電解液としての水性電解液
330，332    乾燥手段としてのタンク